(57)【特許請求の範囲】
【請求項１】
画像データ、及び少なくとも非成人向けとされたチャンネルを含む複数チャンネルの言語に関するデータを供給し、
上記画像データの複数の再生パターンの各々に対応する上記言語に関するデータの再生可能チャンネルを指定するフラグを生成し、
上記供給された上記画像データ及び複数チャンネルの言語に関するデータを上記フラグとともに記録媒体に記録することを特徴とするデータ記録方法。
【請求項２】
上記フラグとともに上記画像データ及び複数チャンネルの言語に関するデータを多重化して記録媒体に記録することを特徴とする請求項１記載のデータ記録方法。
【請求項３】
上記言語に関するデータとして音声データを記録媒体に記録することを特徴とする請求項１記載のデータ記録方法。
【請求項４】
上記言語に関するデータとして字幕データを記録媒体に記録することを特徴とする請求項１記載のデータ記録方法。
【請求項５】
上記画像データと複数チャンネルの言語に関するデータを多重化して記録媒体に記録するとともに、上記フラグを上記記録媒体上の所定領域に記録することを特徴とする請求項１記載のデータ記録方法。
【請求項６】
上記言語に関するデータとして音声データを記録媒体に記録することを特徴とする請求項５記載のデータ記録方法。
【請求項７】
上記言語に関するデータとして字幕データを記録媒体に記録することを特徴とする請求項５記載のデータ記録方法。
【請求項８】
上記画像データは、フレーム内符号化画像及びフレーム間予測符号化画像を含み、上記フラグは、上記フレーム内符号化画像の前に配置されるように多重化されることを特徴とする請求項２記載のデータ記録方法。
【請求項９】
上記言語に関するデータは、少なくとも複数の国の言語に関するデータを含むことを特徴とする請求項１記載のデータ記録方法。
【請求項１０】
画像データ、及び少なくとも非成人向けとされたチャンネルを含む複数チャンネルの言語に関するデータを供給する供給手段と、
上記画像データの複数の再生パターンの各々に対応する上記言語に関するデータの再生可能チャンネルを指定するフラグを生成する生成手段と、
上記生成手段により生成されたフラグとともに上記画像データ及び複数チャンネルの言語に関するデータを記録媒体に記録する記録手段を備えることを特徴とするデータ記録装置。
【請求項１１】
上記記録手段は、上記フラグとともに上記画像データ及び複数チャンネルの言語に関するデータを多重化して記録媒体に記録することを特徴とする請求項１０記載のデータ記録装置。
【請求項１２】
上記記録手段は、上記言語に関するデータとして音声データを記録媒体に記録する特徴とする請求項１０記載のデータ記録装置。
【請求項１３】
上記記録手段は、上記言語に関するデータとして字幕データを記録媒体に記録することを特徴とする請求項１０記載のデータ記録装置。
【請求項１４】
上記記録手段は、上記画像データと複数チャンネルの言語に関するデータを多重化して記録媒体に記録するとともに、上記フラグを上記記録媒体上の所定領域に記録することを特徴とする請求項１０記載のデータ記録装置。
【請求項１５】
上記記録手段は、上記言語に関するデータとして音声データを記録媒体に記録することを特徴とする請求項１４記載のデータ記録装置。
【請求項１６】
上記記録手段は、上記言語に関するデータとして字幕データを記録媒体に記録することを特徴とする請求項１４記載のデータ記録装置。
【請求項１７】
上記画像データは、フレーム内符号化画像及びフレーム間予測符号化画像を含み、上記フラグは、上記フレーム内符号化画像の前に配置されるように多重化されることを特徴とする請求項１１記載のデータ記録装置。
【請求項１８】
上記言語に関するデータは、少なくとも複数の国の言語に関するデータを含むことを特徴とする請求項１０記載のデータ記録装置。
【請求項１９】
画像データ、及び少なくとも非成人向けとされたチャンネルを含む複数チャンネルの言語に関するデータを供給する供給ステップと、
上記画像データの複数の再生パターンの各々に対応する上記言語に関するデータの再生可能チャンネルを指定するフラグを生成するフラグ生成ステップと、
上記供給された上記画像データ及び複数チャンネルの言語に関するデータを上記フラグとともに記録媒体に記録する記録ステップと
を有することを特徴とするデータ記録媒体の製造方法。
【請求項２０】
上記記録ステップでは、上記フラグとともに上記画像データ及び複数チャンネルの言語に関するデータを多重化して記録媒体に記録することを特徴とする請求項１９記載のデータ記録媒体の製造方法。
【請求項２１】
上記記録ステップでは、上記言語に関するデータとして音声データを記録媒体に記録することを特徴とする請求項１９記載のデータ記録媒体の製造方法。
【請求項２２】
上記記録ステップでは、上記言語に関するデータとして字幕データを記録媒体に記録することを特徴とする請求項１９記載のデータ記録媒体の製造方法。
【請求項２３】
上記記録ステップでは、上記画像データと複数チャンネルの言語に関するデータを多重化して記録媒体に記録するとともに、上記フラグを上記記録媒体上の所定領域に記録することを特徴とする請求項１９記載のデータ記録媒体の製造方法。
【請求項２４】
上記記録ステップでは、上記言語に関するデータとして音声データを記録媒体に記録することを特徴とする請求項２３記載のデータ記録媒体の製造方法。
【請求項２５】
上記記録ステップでは、上記言語に関するデータとして字幕データを記録媒体に記録することを特徴とする請求項２３記載のデータ記録媒体の製造方法。
【請求項２６】
画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体を再生し、上記フラグに基づいて上記画像データの再生パターンに対応した言語に関するデータの再生チャンネルを選択し、上記選択された言語に関するデータの再生チャンネルを画像データとともに出力することを特徴とするデータ再生方法。
【請求項２７】
上記フラグとともに、上記画像データ及び複数チャンネルの言語に関するデータが多重化されて記録されたデータ記録媒体を再生することを特徴とする請求項２６記載のデータ再生方法。
【請求項２８】
上記言語に関するデータとして音声データを再生することを特徴とする請求項２６記載のデータ再生方法。
【請求項２９】
上記言語に関するデータとして字幕データを再生することを特徴とする請求項２６記載のデータ再生方法。
【請求項３０】
画像データ及び複数チャンネルの言語に関するデータが多重化されて記録されているとともに、上記フラグが所定領域に記録された記録媒体を再生することを特徴とする請求項２６記載のデータ再生方法。
【請求項３１】
上記言語に関するデータとして音声データを再生することを特徴とする請求項３０記載のデータ再生方法。
【請求項３２】
上記言語に関するデータとして字幕データを再生することを特徴とする請求項３０記載のデータ再生方法。
【請求項３３】
上記画像データは、フレーム内符号化画像及びフレーム間予測符号化画像を含み、上記フラグは、上記フレーム内符号化画像の前に配置されるように多重化されていることを特徴とする請求項２７記載のデータ再生方法。
【請求項３４】
上記言語に関するデータは、少なくとも複数の国の言語に関するデータを含むことを特徴とする請求項２６記載のデータ再生方法。
【請求項３５】
画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体を再生するデータ再生手段と、
上記フラグに基づいて上記画像データの再生パターンに対応した言語に関するデータの再生チャンネルを選択する制御手段と、
上記選択された言語に関するデータの再生チャンネルを画像データとともに出力する出力手段とを備えることを特徴とするデータ再生装置。
【請求項３６】
上記再生手段は、上記フラグとともに、上記画像データ及び複数チャンネルの言語に関するデータが多重化されて記録されたデータ記録媒体を再生することを特徴とする請求項３５記載のデータ再生装置。
【請求項３７】
上記再生手段は、上記言語に関するデータとして音声データをデータ記録媒体から再生することを特徴とする請求項３５記載のデータ再生装置。
【請求項３８】
上記再生手段は、上記言語に関するデータとして字幕データをデータ記録媒体から再生することを特徴とする請求項３５記載のデータ再生装置。
【請求項３９】
上記再生手段は、上記画像データと複数チャンネルの言語に関するデータが多重化されて記録されているとともに、上記フラグが所定領域に記録された記録媒体を再生することを特徴とする請求項３５記載のデータ再生装置。
【請求項４０】
上記再生手段は、上記言語に関するデータとして音声データをデータ記録媒体から再生することを特徴とする請求項３９記載のデータ再生装置。
【請求項４１】
上記再生手段は、上記言語に関するデータとして字幕データをデータ記録媒体から再生することを特徴とする請求項３９記載のデータ再生装置。
【請求項４２】
上記画像データは、フレーム内符号化画像及びフレーム間予測符号化画像を含み、上記フラグは、上記フレーム内符号化画像の前に配置されるように多重化されていることを特徴とする請求項３６記載のデータ再生装置。
【請求項４３】
上記言語に関するデータは、少なくとも複数の国の言語に関するデータを含むことを特徴とする請求項３５記載のデータ再生装置。
【発明の詳細な説明】
【０００１】
【発明の属する技術分野】
本発明は、例えばデジタル動画像データ及びデジタル音声データを圧縮して例えば光ディスク上に時分割多重して記録し再生するのに好適な、データ記録方法及び装置、データ記録媒体の製造方法、データ再生方法及び装置に関する。
【０００２】
【従来の技術】
従来より、映画などの映像作品においては、基本的に同じ内容でありながら、諸般の事情により細部においては多少異なる所謂バージョンの異なる作品が存在する場合がある。例えば、劇場における初回公開版と、監督が後に編集した所謂ディレクターズ・カット版が存在する場合などである。これは、当初の編集では興業上の理由、又は興業当時の政治的又は文化的な背景によって、撮影された一部のシーンがカットされたり、撮影し直したカットが使われたものの、後年になって前記事情の変容と作者の意思によって改めてカットされたシーン及び使われなかったシーンを含め再編集される場合である。これらは、ディレクターズ・カット版、完全版、特別版、その他各種名称で識別される。１つの作品から３つ以上のバージョンができあがっているものもある。
【０００３】
また、劇場公開するためのバージョン以外にも、例えばテレビジョン放送などのために放送時間に対応させる編集が行われたり、あるいは、民生用の比較的に短時間記録再生用の記録再生装置に対応させるための編集が行われている。
【０００４】
さらに、不特定多数の聴衆に公開される映画やビデオには、いわゆる「成人指定（レイティング：Rating）」がある。この成人指定は、映画が未成年に不適切な表現を含むとき、製作者側が自主的にこの映画を成人指定とし、未成年が観覧することを防止するものである。同様に成人指定を受けたビデオディスク等は、未成年への販売や譲渡が禁止される。
【０００５】
米国におけるレイティングは、法律で規定されているものではなく、制作者（配給者、販売者）による自発的なものである。文献「THE MOVIE BUSINESS BOOK,pp396 〜406,"THE VOLUNTARY MOVIE RATING SYSTEM" 」によれば、Ｇ（GeneralAudiences - All ages admitted.）、ＰＧ（Parental Guidance Suggested; somematerial may not be suitable for children.）、ＰＧ−１３（Parents strongly cautioned.Some material may be inappropriate for children under 13.）、Ｒ（Restricted, under 17 requires accompanying parent or adult guardian.）、ＮＣ− １７（No children under 17 admitted. ）の５つのカテゴリに分類される。従つてこれらの指定に応じて、映画の入場が限定されたり、ビデオテープ等の販売が限定される。これまでは、映画全体に対し１つのレイティングレベルを付与しており、このレイティングレベルにより、映画館あるいはビデオショップにおいて、入場者（購入者）の年齢と比較するために使用されていた。このような人為的な行為に対して、成人指定を受けたビデオディスク等を、未成年が観覧することを再生機側で強制的に防止するという考えがある。この場合、ビデオディスク等に予め成人指定の有無を識別するためのフラグを書き込んでおき、再生機側でこれを検出して、再生を禁止してしまうという考えである。この機能をレイティング（Rating）システムと言い、以下単にレイティングと呼ぶ。
【０００６】
欧州のデジタル放送システムでは、サービス情報の定義中に「Parental Rating 」の記述がある。この放送システムでは、年齢の記述方法を定義しており、この年齢から受信機がレイティングを働かすことを可能にしたものと考えられる。前述のレイティングシステムでは、プログラムのあるシーンのみが問題となる場合、そのプログラムの開始直前の位置に、識別コードを書き込んでおく。再生装置がレイティングモードの場合、その識別コードを識別することにより、プログラムを再生することなく中止する。この場合には、プログラム全体が視聴不可能となる。
【０００７】
【発明が解決しようとする課題】
そこで、本発明の目的は、複数のバージョンやレイティングモードに対応し、再生系において画像データの再生パターンに対応させた音声データの再生チャンネルを選択して上記再生パターンに対応した音声データと画像データを再生可能にする複数のバージョンやレイティングモードに対応するデータ記録方法及び装置、データ記録媒体の製造方法、データ再生方法及び装置を提供することにある。
【０００８】
【課題を解決するための手段】
本発明に係るデータ記録方法は、画像データ、及び少なくとも非成人向けとされたチャンネルを含む複数チャンネルの言語に関するデータを供給し、上記画像データの複数の再生パターンの各々に対応する上記言語に関するデータの再生可能チャンネルを指定するフラグを生成し、上記供給された上記画像データ及び複数チャンネルの言語に関するデータを上記フラグとともに記録媒体に記録することを特徴とする。
【０００９】
本発明に係るデータ記録方法では、例えば、上記フラグとともに上記画像データ及び複数チャンネルの言語に関するデータを多重化して記録媒体に記録する。
【００１０】
また、本発明に係るデータ記録方法では、上記画像データと複数チャンネルの言語に関するデータを多重化して記録媒体に記録するとともに、上記フラグを上記記録媒体上の所定領域に記録する。
【００１１】
また、本発明に係るデータ記録方法では、例えば、上記言語に関するデータとして音声データを記録媒体に記録する。
【００１２】
また、本発明に係るデータ記録方法では、例えば、上記言語に関するデータとして字幕データを記録媒体に記録する。
【００１３】
また、本発明に係るデータ記録方法において、上記画像データは、例えば、フレーム内符号化画像及びフレーム間予測符号化画像を含み、上記フラグは、例えば、上記フレーム内符号化画像の前に配置されるように多重化される。
【００１４】
さらに、本発明に係るデータ記録方法において、上記言語に関するデータは、例えば、少なくとも複数の国の言語に関するデータを含む。
【００１５】
本発明に係るデータ記録装置は、画像データ、及び少なくとも非成人向けとされたチャンネルを含む複数チャンネルの言語に関するデータを供給する供給手段と、上記画像データの複数の再生パターンの各々に対応する上記言語に関するデータの再生可能チャンネルを指定するフラグを生成する生成手段と、上記生成手段により生成されたフラグとともに上記画像データ及び複数チャンネルの言語に関するデータを記録媒体に記録する記録手段を備えることを特徴とする。
【００１６】
本発明に係るデータ記録装置において、上記記録手段は、例えば、上記フラグとともに上記画像データ及び複数チャンネルの言語に関するデータを多重化して記録媒体に記録する。
【００１７】
また、本発明に係るデータ記録装置において、上記記録手段は、例えば、上記画像データと複数チャンネルの言語に関するデータを多重化して記録媒体に記録するとともに、上記フラグを上記記録媒体上の所定領域に記録する。
【００１８】
また、本発明に係るデータ記録装置において、上記記録手段は、例えば、上記言語に関するデータとして音声データを記録媒体に記録する。
【００１９】
また、本発明に係るデータ記録装置において、上記記録手段は、例えば、上記言語に関するデータとして字幕データを記録媒体に記録する。
【００２０】
また、本発明に係るデータ記録装置において、上記画像データは、例えば、フレーム内符号化画像及びフレーム間予測符号化画像を含み、上記フラグは、例えば、上記フレーム内符号化画像の前に配置されるように多重化される。
【００２１】
さらに、本発明に係るデータ記録装置において、上記言語に関するデータは、例えば、少なくとも複数の国の言語に関するデータを含む。
【００２２】
本発明に係るデータ記録媒体の製造方法は、画像データ、及び少なくとも非成人向けとされたチャンネルを含む複数チャンネルの言語に関するデータを供給する供給ステップと、上記画像データの複数の再生パターンの各々に対応する上記言語に関するデータの再生可能チャンネルを指定するフラグを生成するフラグ生成ステップと、上記供給された上記画像データ及び複数チャンネルの言語に関するデータを上記フラグとともに記録媒体に記録する記録ステップとを有することを特徴とする。
【００２３】
また、本発明に係るデータ記録媒体の製造方法では、例えば、上記記録ステップにおいて、上記フラグとともに上記画像データ及び複数チャンネルの言語に関するデータを多重化して記録媒体に記録する。
【００２４】
また、本発明に係るデータ記録媒体の製造方法では、例えば、上記記録ステップにおいて、上記言語に関するデータとして音声データを記録媒体に記録する。
【００２５】
また、本発明に係るデータ記録媒体の製造方法では、例えば、上記記録ステップにおいて、上記言語に関するデータとして字幕データを記録媒体に記録する。
【００２６】
また、本発明に係るデータ記録媒体の製造方法では、例えば、上記記録ステップにおいて、上記画像データと複数チャンネルの言語に関するデータを多重化して記録媒体に記録するとともに、上記フラグを上記記録媒体上の所定領域に記録する。
【００２７】
また、本発明に係るデータ記録媒体の製造方法では、例えば、上記記録ステップにおいて、上記言語に関するデータとして音声データを記録媒体に記録する。
【００２８】
さらに、本発明に係るデータ記録媒体の製造方法では、例えば、上記記録ステップにおいて、上記言語に関するデータとして字幕データを記録媒体に記録する
【００２９】
本発明に係るデータ再生方法は、画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体を再生し、上記フラグに基づいて上記画像データの再生パターンに対応した言語に関するデータの再生チャンネルを選択し、上記選択された言語に関するデータの再生チャンネルを画像データとともに出力することを特徴とする。
【００３０】
本発明に係るデータ再生方法では、例えば、上記フラグとともに、上記画像データ及び複数チャンネルの言語に関するデータが多重化されて記録されたデータ記録媒体を再生する。
【００３１】
また、本発明に係るデータ再生方法では、例えば、画像データ及び複数チャンネルの言語に関するデータが多重化されて記録されているとともに、上記フラグが所定領域に記録された記録媒体を再生する。
【００３２】
また、本発明に係るデータ再生方法では、例えば、上記言語に関するデータとして音声データを再生する。
【００３３】
また、本発明に係るデータ再生方法では、例えば、上記言語に関するデータとして字幕データを再生する。
【００３４】
また、本発明に係るデータ再生方法において、上記画像データは、例えば、フレーム内符号化画像及びフレーム間予測符号化画像を含み、上記フラグは、例えば、上記フレーム内符号化画像の前に配置されるように多重化されている。
【００３５】
さらに、本発明に係るデータ再生方法において、上記言語に関するデータは、例えば、少なくとも複数の国の言語に関するデータを含む。
【００３６】
本発明に係るデータ再生装置は、画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体を再生するデータ再生手段と、上記フラグに基づいて上記画像データの再生パターンに対応した言語に関するデータの再生チャンネルを選択する制御手段と、上記選択された言語に関するデータの再生チャンネルを画像データとともに出力する出力手段とを備えることを特徴とする。
【００３７】
本発明に係るデータ再生装置において、上記再生手段は、例えば、上記フラグとともに、上記画像データ及び複数チャンネルの言語に関するデータが多重化されて記録されたデータ記録媒体を再生する。
【００３８】
また、本発明に係るデータ再生装置において、上記再生手段は、例えば、上記画像データと複数チャンネルの言語に関するデータが多重化されて記録されているとともに、上記フラグが所定領域に記録された記録媒体を再生する。
【００３９】
また、本発明に係るデータ再生装置において、上記再生手段は、例えば、上記言語に関するデータとして音声データをデータ記録媒体から再生する。
【００４０】
また、本発明に係るデータ再生装置において、上記再生手段は、例えば、上記言語に関するデータとして字幕データをデータ記録媒体から再生する。
【００４１】
また、本発明に係るデータ再生装置において、上記画像データは、例えば、フレーム内符号化画像及びフレーム間予測符号化画像を含み、上記フラグは、例えば、上記フレーム内符号化画像の前に配置されるように多重化されている。
【００４２】
さらに、本発明に係るデータ再生装置において、上記言語に関するデータは、例えば、少なくとも複数の国の言語に関するデータを含む。
【００４３】
【発明の実施の形態】
以下、この発明の実施の形態について図面を参照して詳細に説明する。
【００４４】
本発明に係るデータ符号化方法は、例えば図１に示すような構成のデータ符号化装置により実施される。
【００４５】
この図１に示したデータ符号化装置は、ビデオ信号を圧縮符号化するビデオエンコーダ１と、例えば３系統のオーディオ信号ＡＵ１，ＡＵ２，ＡＵ３をそれぞれ圧縮符号化するオーディオエンコーダ２Ａ，２Ｂ，２Ｃに接続された多重化装置３を備える。
【００４６】
この符号化装置において、ビデオエンコーダ１の出力端子は、上記多重化装置３のビデオエントリポイント検出回路３１の入力端子に接続されている。このビデオエントリポイント検出回路３１の出力端子は、コードバッファ４の入力端子に接続されている。エントリセクタ発生回路３２は、制御装置８の制御入力を受け、その出力をスイッチング回路６の入力端子Ｅ５に供給するようになされている。また制御装置８は、多重化システムクロック発生回路９の出力するシステムクロックの入力を受け、所定の周期でスイッチング回路６の入力端子Ｅ１〜Ｅ５を出力端子Ｆと順次接続状態にして、コードバッファ４，５Ａ，５Ｂ，５Ｃ又はエントリセクタ発生回路３２からデータを順次取り出して時分割多重し、ヘッダ付加回路７に出力する。
【００４７】
また、制御装置８はヘッダ付加回路７を制御して、コードバッファ４から読み出したビデオデータにはビデオパケットヘッダを付加させる。またコードバッファ５から読み出したオーディオデータにはオーディオパケットヘッダを付加させる。
【００４８】
さらに、制御装置８は、ビデオエンコーダ１又はビデオエントリポイント検出回路３１から、Ｉピクチャの発生タイミングで発生されるエントリポイント発生信号の入力を受け、エントリセクタ発生回路３２を制御して、ビットストリームの所定の位置にエントリセクタを挿入させる。ビデオエンコーダ１がエントリポイント発生信号を出力することができるように構成されている場合、ビデオエンコーダ１がＩピクチャの発生タイミングでエントリポイント発生信号を出力する。
【００４９】
また、ビデオエンコーダ１がエントリポイント発生信号を出力することができない構成の場合や、既にエンコードしてあるビデオビットストリームを多重化する際には、ビデオエントリポイント検出回路３１がＩピクチャの発生タイミングでエントリポイント発生信号を発生するか、又はビデオエンコーダ１より入力されたビデオデータからエントリポイントを検出し、エントリポイント発生信号を出力する。エントリポイント記憶装置３３は、制御装置８から読み書きできるメモリで、検出されたエントリポイントの位置を記憶する。
【００５０】
さらに、ＭＡＰ情報記憶装置３５は、外部入力装置などから入力された情報を蓄えており、その情報がエントリセクタを構成する毎に読み出され、エントリセクタに記録されるように、制御装置８により制御される。なお、将来のエントリセクタの位置を使用する情報などの場合には、全ての多重化が終了した後に、エントリポイント記憶装置３３からエントリセクタの位置を読み出し、これをＤＳＭ１０に供給して記録する。
【００５１】
図１に示したデータ符号化装置において、多重化ビットストリームは、少なくとも１つのパックと、ISO_11172_end_codeにより構成される。そして、各パックは、例えば図２に示すようなフォーマットで構成されている。
【００５２】
すなわち、最初に、Pack_Start_Code，SCR，MUX_RateよりなるPack_Header(ヘッダ)が配置され、次に、Video_Packet_Headerが、さらにその次に、Ｉピクチャを含まないビデオデータがセクタ構造で配置されている。ビデオデータの次にはEntry_Packetが、その次にはVideo_Packet_Header が、さらにその次には、Ｉピクチャを含むビデオデータがセクタ構造で配置されている。すなわち、Ｉピクチャ（エントリポイント）を含むビデオデータの直前（Video_Packet_Header の直前）には、Entry_Packetが配置されるようになされている。そして、この実施の形態の場合、ビデオデータの次にAudio_Packet_Header が配置され、その次にセクタ構造のオーディオデータが配置されている。
【００５３】
上記Entry_Packet（エントリセクタ）は、図３に示すフォーマットとされている。すなわち、この図３に示すエントリセクタでは、最初に、Pack_Start_code，SCR，MUX_Rate よりなるPack_Header（ヘッダ）が配置され、次に、Program_Stream_DirectryとProgram_Stream_Mapが順番に配置されている。さらに、この例の場合にはビデオ以外のパケットが１つ含まれ、その次にＩピクチャを含むビデオデータが配置されている。この例の場合、セクタの先頭から決められた順番で情報が出現するので、取り扱いが容易である。
【００５４】
上記Program_Stream_Directry は、ＭＰＥＧ２システム規格で決められた構造であり、図４に示すように、ストリーム中のアクセス可能な位置を示すためのものである。ここでは、図４中のループＡを７回廻ることにより、前方３個、直後のイントラピクチャ及び後方３個のエントリポイントの位置を記録する。
【００５５】
また、上記Program_Stream_Mapは、例えば図５に示すように定義され、この図５中のループＢ及びループＣに図６に示すような各種情報を納めるdescriptor()が置かれる。そして、この実施の形態では、上記Program_Stream_Map中のループＣにあるdescriptor()として、図７に示すようなdvd_audio_descriptor()が定義され、また、図８に示すようなdvd_lpcm_descriptor() が定義され、さらに、図９に示すようなdvd_subtitle_descriptor()が定義される。
【００５６】
図７に示したdvd_audio_descriptor()におけるpath_number_flag_Nはパス番号Ｎで再生されるべきオーディオストリームであれば１にセットされ、再生されるべきでなければ０にセットされる１ビットフラグである。また、channel_configuration はそのオーディオストリーム内の符号化されたチャンネル数である。
【００５７】
また、図８に示したdvd_lpcm_descriptor() におけるmix_typeはＬＰＣＭにおけるオーディミックスのタイプを定義する４ビットのコードである。また、path_number_flag_Nはパス番号Ｎで再生されるべきオーディオストリームであれば１にセットされ、再生されるべきでなければ０にセットされる１ビットフラグである。
【００５８】
さらに、図９に示したdvd_subtitle_descriptor()におけるsubtitle_typeは図１０に示すサブタイトルストリームのタイプを定義する４ビットのコードである。また、aspect_ratio_infomation はこのサブタイトルストリームの表示アスペクト定義する４ビットのコードである。さらに、path_number_flag_Nはパス番号Ｎで再生されるべきオーディオストリームであれば１にセットされ、再生されるべきでなければ０にセットされる１ビットフラグである。
【００５９】
また、ＤＳＭ１０上のデータの並びは図１２に示すように構成されている。すなわち、ディスクの内周側にはＴＯＣ（Table Of Contents ）と呼ばれる各多重化ストリームの情報を集積した情報が記録され、その後に、多重化ストリームが順番に記録されている。
【００６０】
ＴＯＣのデータは例えば図１３に示すように記録される。すなわち、先ずディスク中の多重化ストリームの数が記録される。次に多重化ストリームの数だけループが回ることにより、各多重化ストリームの情報がＴＯＣに記録される。
【００６１】
ループ中には、先ず、各多重化ストリームの先頭及び最終セクタアドレスが記録される。次に図５に示すように定義されたProgram_Stream_Mapが記録される。これはストリーム中に記録されるものと同一である。すなわち、Program_Stream_Mapには、図７に示すようなdvd_audio_descriptor()が定義され、また、図８に示すようなdvd_lpcm_descriptor() が定義され、さらに、図９に示すようなdvd_subtitle_descriptor()が定義される。
【００６２】
次に、図１に示したデータ符号化装置の動作について説明する。制御装置８は、ビデオエンコーダ１又はビデオエントリポイント検出回路３１からのエントリポイント発生信号を受け取り、ビデオエントリポイントの直前にエントリセクタを挿入させる。すなわち、エントリポイント発生信号の入力を受けたとき、エントリセクタ発生回路３２にエントリパケットを発生させるとともに、スイッチング回路６を入力端子Ｅ５側に切り換えさせ、ヘッダ付加回路７に供給させて、コードバッファ４，５Ａ，５Ｂ，５Ｃからのビデオデータおよび各チャンネルのオーディオデータと多重化させる。
【００６３】
ここで、上記ビデオデータおよび各チャンネルのオーディオデータの各エレメンタリストリームは、上記Program_Stream_Map中のstream_type により各エレメンタリストリームのタイプが定義され、dvd_audio_descriptor()やdvd_lpcm_descriptor() によってビデオデータの再生パターンすなわちパスに対応させたオーディオデータの再生チャンネルを指定するフラグが与えられて記録される。
【００６４】
これにより、例えば、３系統のオーディオ信号ＡＵ１，ＡＵ２，ＡＵ３うちオーディオ信号ＡＵ１は一般的な音声であり、オーディオ信号ＡＵ２は大人向けの音声であり、オーディオ信号ＡＵ３は子供向けの音声であった場合に、一般向けのビデオ信号の再生パターンpath１では３系統のオーディオ信号ＡＵ１，ＡＵ２，ＡＵ３うちオーディオ信号ＡＵ１とオーディオ信号ＡＵ３の再生を許可し、大人向けの再生パターンpath２では３系統のオーディオ信号ＡＵ１，ＡＵ２，ＡＵ３全ての再生を許可する。あるいは、再生パターン毎に再生チャンネルを固定して、再生パターンpath１ではオーディオ信号ＡＵ１の再生を許可し、再生パターンpath２ではオーディオ信号ＡＵ２の再生を許可し、再生パターンpath３ではオーディオ信号ＡＵ３の再生を許可する。
【００６５】
なお、図１で示したデータ符号化装置は、図１２で示す構成を作成するために以下の動作を行う。すなわち、総てに先立ちＴＯＣの領域を確保する。これは、指定された多重化ストリームの数に応じてＤＳＭ１０の領域を予め確保することとなる。そして、既に説明したような符号化を行う。
【００６６】
各多重化ストリームの符号化を終える度に、図１のデータ符号化装置は、ＴＯＣデータの更新を行う。すなわち、符号化を終えた多重化ストリームの先頭及び最終セクタアドレスを図１３で示すＴＯＣのそれぞれ、エントリポイント情報に記述したものと同一のdvd_audio_descriptor()やdvd_lpcm_descriptor()、dvd_subtitle_descriptor()を記録する。
【００６７】
このように、ビデオデータの再生パターンに対応させた音声データの再生チャンネルをフラグで指定して符号化することができる。
【００６８】
次に図１１を参照して本発明に係るデータ復号化装置について説明する。この図１１に示したデータ復号化装置は、上述の図１に示したデータ符号化装置により符号化されたデータを記録したＤＳＭ１０から再生されたデータを復号化するものである。
【００６９】
このデータ復号化装置において、分離装置２１のヘッダ分離回路２２は、ＤＳＭ１０から読み出されたデータから、パックヘッダ、セクタヘッダおよびエントリセクタを分離して制御装置２４に供給するとともに、時分割多重されたデータをスイッチング回路２３の入力端子Ｇに供給する。スイッチング回路２３の出力端子Ｈ１，Ｈ２は、それぞれビデオデコーダ２５、オーディオデコーダ２６の入力端子に接続されている。
【００７０】
また制御装置２４は、ヘッダ分離回路２２より入力されたデータから、エントリポイントに関する情報（エントリセクタの情報）を読み出し、エントリポイント記憶装置４１に供給し、記憶させる。制御装置２４にはＤＳＭ１０から現在の読出位置の情報が供給されるので、制御装置２４は、エントリポイントの位置とその内容を、対応付けて記憶させるようにすることができる。
【００７１】
分離装置２１の制御装置２４は、ヘッダ分離回路２２から供給されたセクタヘッダのstream_id に従い、スイッチング回路２３の入力端子Ｇと出力端子Ｈ１，Ｈ２を順次接続状態にして、時分割多重されたデータを正しく分離させ、ビデオデータをビデオデコーダ２５に、オーディオデータをオーディオデコーダ２６に、それぞれ供給させる。
【００７２】
なお、制御装置２４の記憶回路に十分に余裕がある場合、以下のような動作をすることも可能である。すなわち、制御装置は再生に先立ち、図１２に示すＴＯＣを読み出し自らの記憶回路に記憶する。これにより多重化ストリームを再生する度に情報を取り込むことなく処理を行うことができる。
【００７３】
この多重化データ復号化装置における制御装置２４は、ユーザにより設定されるパス指定信号で指定されたパスと多重化ビットストリームのパス情報により、オーディオストリームを選択して、ビデオデータに対応したオーディオデータをオーディオデコーダ２６にデコードさせるように再生動作を制御する。
【００７４】
このような構成の多重化データ復号化装置では、上述の３系統のオーディオ信号ＡＵ１，ＡＵ２，ＡＵ３うちオーディオ信号ＡＵ１は一般的な音声であり、オーディオ信号ＡＵ２は大人向けの音声であり、オーディオ信号ＡＵ３は子供向けの音声であった場合に、一般向けのビデオ信号の再生パターンpath１ではパス指定信号による指定で３系統のオーディオ信号ＡＵ１，ＡＵ２，ＡＵ３うちオーディオ信号ＡＵ１又はオーディオ信号ＡＵ３の復号し、また、大人向けの再生パターンpath２ではパス指定信号による指定で３系統のオーディオ信号ＡＵ１，ＡＵ２，ＡＵ３のどれかを復号をすることができる。
【００７５】
また、本発明に係るデータ符号化方法は、例えば図１４に示すような構成のデータ符号化装置により実施される。
【００７６】
この図１４に示したデータ符号化装置は、上述の図１に示したデータ符号化装置において８系統のオーディオ信号ＡＵ１〜ＡＵ８を取り扱うようにし、さらに、それらに対応する８系統の字幕データをそれぞれパケット化する字幕エンコーダ１１Ａ〜１１Ｈとコードバッファ１２Ａ〜１２Ｈを設けたものである。
【００７７】
そして、制御装置８は、多重化システムクロック発生回路９の出力するシステムクロックの入力を受け、所定の周期でスイッチング回路６の入力端子Ｅ１〜Ｅ１８を出力端子Ｆと順次接続状態にして、コードバッファ４，５Ａ〜５Ｈ，１２Ａ〜１２Ｈ又はエントリセクタ発生回路３２からデータを順次取り出して時分割多重し、ヘッダ付加回路７に出力する。また、制御装置８はヘッダ付加回路７を制御して、コードバッファ４から読み出したビデオデータにはビデオパケットヘッダを付加させる。また、コードバッファ５Ａ〜５Ｈから読み出したオーディオデータにはオーディオパケットヘッダを付加させる。さらに、コードバッファ１２Ａ〜１２Ｈから読み出した字幕データには字幕パケットヘッダを付加させる。さらに、制御装置８は、ビデオエンコーダ１又はビデオエントリポイント検出回路３１から、Ｉピクチャの発生タイミングで発生されるエントリポイント発生信号の入力を受け、エントリセクタ発生回路３２を制御して、ビットストリームの所定の位置にエントリセクタを挿入させる。ビデオエンコーダ１がエントリポイント発生信号を出力することができるように構成されている場合、ビデオエンコーダ１がＩピクチャの発生タイミングでエントリポイント発生信号を出力する。
【００７８】
また、ビデオエンコーダ１がエントリポイント発生信号を出力することができない構成の場合や、既にエンコードしてあるビデオビットストリームを多重化する際には、ビデオエントリポイント検出回路３１がＩピクチャの発生タイミングでエントリポイント発生信号を発生するか、又はビデオエンコーダ１より入力されたビデオデータからエントリポイントを検出し、エントリポイント発生信号を出力する。エントリポイント記憶装置３３は、制御装置８から読み書きできるメモリで、検出されたエントリポイントの位置を記憶する。
【００７９】
さらに、ＭＡＰ情報記憶装置３５は、外部入力装置などから入力された情報を蓄えており、その情報がエントリセクタを構成する毎に読み出され、エントリセクタに記録されるように、制御装置８により制御される。なお、将来のエントリセクタの位置を使用する情報などの場合には、全ての多重化が終了した後に、エントリポイント記憶装置３３からエントリセクタの位置を読み出し、これをＤＳＭ１０に供給して記録する。
【００８０】
図１４に示したデータ符号化装置において、多重化ビットストリームの各パックは、最初に、Pack_Start_Code，SCR，MUX_RateよりなるPack_Header が配置され、次に、Video_Packet_Header が、さらにその次に、Ｉピクチャを含まないビデオデータがセクタ構造で配置されている。ビデオデータの次にはEntry_Packetが、その次にはVideo_Packet_Header が、さらにその次には、Ｉピクチャを含むビデオデータがセクタ構造で配置されている。すなわち、Ｉピクチャ（エントリポイント）を含むビデオデータの直前（Video_Packet_Header の直前）には、Entry_Packetが配置されるようになされている。そして、この場合、ビデオデータの次にAudio_Packet_Header が配置され、その次にセクタ構造のオーディオデータが配置されている。
【００８１】
上記Entry_Packet（エントリセクタ）は、図１５に示すフォーマットとされている。すなわち、この図１５に示すエントリセクタでは、最初に、Pack_Start_code，SCR，MUX_Rate よりなるPack_Header（ヘッダ）が配置され、次に、Program_Stream_DirectryとProgram_Stream_Map が順番に配置されている。さらに、この例の場合にはビデオ以外のパケットが１つ含まれ、その次にイントラピクチャを含むビデオデータが配置されている。この例の場合、セクタの先頭から決められた順番で情報が出現するので、取り扱いが容易である。そして、この場合、ビデオデータの次にAudio_Packet_Header が配置され、その次にセクタ構造のオーディオデータが配置され、さらに、オーディオデータの次に字幕_Packet_Headerが配置され、その次にセクタ構造の字幕データが配置されている。
【００８２】
上記Program_Stream_Directry は、ＭＰＥＧ２システム規格で決められた構造であり、ストリーム中のアクセス可能な位置を示すためのものである。
【００８３】
また、上記Program_Stream_Map中にはglobal descriptors()が定義され、さらに、図１６に示すようなpath_descriptor()が上記global descriptors()中に定義される。
【００８４】
ここで、上記path_descriptor()は、各パスを定義するものであって、図１６にシンタックスを示すように、パス番号（path_number）やトラック番号（track_number）、セクタ番号（pX_sectors_to_read，pX_sectors_from_start）、セクタオフセット（pX_offset_next_section・・・pX_offset_start_track）、トラックタイムコード（pX_track_tc_hours_1・・・pX_track_tc_frames_2）、パスタイムコード（pX_path_tc_hours_1・・・pX_path_tc_frames_2）などが記述される。
【００８５】
上記パス番号（path_number）は記述子が参照するパス番号を与える３ビットの数値である。
【００８６】
上記トラック番号（track_number）は、現トラック番号に等しい１６ビットの数値である。プログラムの開始位置への相対的なトラック番号をエンコードした値とされる。セグメント（segments）のトラック番号は、１パスあるいは複数のパスで共用される。トラック番号は、パスを通して増加される。ディスク上の絶対トラック番号はdisc_toc()中のprogram_linkageで与えられるトラック番号オフセットを加算することによってこの相対トラック番号から知ることができる。
【００８７】
上記セクタ番号（pX_sectors_to_read）は、パス番号Ｘのプログラムのセクションを読み終わるまでに必要な残りのセクタ数を与える符号無し整数である。この値が０であれば、現セクタは、パス番号Ｘのパスの１部を構成していない。この値がＮであれば、このパスのこのセクションの終了まで読むのに、現セクタを含んでＮセクタが残っている。
【００８８】
また、セクタ番号（pX_sectors_from_start）は、パス番号Ｘの現セクタから現セクションの開始位置までのセクタ数を与える符号無し整数である。この値が０であれば、現セクタは、このセクションの最初のセクタである。この値がＮであれば、現セクションの開始位置から現セクタまでに、現セクタを含まずＮセクタある。
【００８９】
上記オフセット（pX_offset_next_section）は、パス番号Ｘのパスの現エントリセクタから次のセクションの開始位置のエントリセクタまでのセクタオフセットである。このオフセットは、正又は負で２の補数にエンコードされている。この値が０であれば、現セクタの属するセクションの次に再生されるべきセクションがない、すなわち、プログラムの終了である。
【００９０】
また、オフセット（pX_offset_previous_section）は、パス番号Ｘのパスの現エントリセクタから前のセクションの最終エントリセクタまでのセクタオフセットである。このオフセットは、正又は負で２の補数にエンコードされている。この値が０であれば、現セクタの属するセクションの前に再生されるべきセクションがない、すなわち、プログラムの最初である。
【００９１】
もし、上記セクタ番号（pX_sectors_to_read，pX_sectors_from_start）及び上記オフセット（pX_offset_next_section，pX_offset_previous_section）が全てゼロであれば、パス番号Ｘのパスは使用されないか、又は、そのエントリセクタはパス番号Ｘのパスの１部を構成していない。
【００９２】
また、オフセット（pX_offset_next_track）はパス番号Ｘのパスの現セクタから次のトラックの開始位置のエントリセクタまでのセクタオフセットである。このオフセットは、正又は負で２の補数にエンコードされている。この値が０であれば、このパス上に次のトラックはない。
【００９３】
また、オフセット（pX_offset_start_track）は、パス番号Ｘのパスの現セクタから現トラックの開始位置のエントリセクタまでのセクタオフセットである。このオフセットは、正又は負で２の補数にエンコードされている。現エントリセクタがトラックの先頭セクタであれば、このオフセット（pX_offset_start_track）は、前のトラックの開始位置へのオフセットとなる。この値が０であれば、このパス上に前のトラックはない。
【００９４】
次に、図１４に示したデータ符号化装置の動作について説明する。制御装置８は、ビデオエンコーダ１又はビデオエントリポイント検出回路３１からのエントリポイント発生信号を受け取り、ビデオエントリポイントの直前にエントリセクタを挿入させる。すなわち、エントリポイント発生信号の入力を受けたとき、エントリセクタ発生回路３２にエントリパケットを発生させるとともに、スイッチング回路６を入力端子Ｅ１８側に切り換えさせ、ヘッダ付加回路７に供給させて、コードバッファ４，５Ａ〜５Ｈ，１２Ａ〜１２Ｈからのビデオデータ、各チャンネルのオーディオデータ及び各チャンネルの字幕データと多重化させる。
【００９５】
ここで、上記ビデオデータおよび各チャンネルのオーディオデータの各エレメンタリストリームは、上記Program_Stream_Map中のstream_type により各エレメンタリストリームのタイプが定義され、dvd_audio_descriptor()やdvd_lpcm_descriptor() によってビデオデータの再生パターンすなわちパスに対応させたオーディオデータの再生チャンネルを指定するフラグが与えられて記録される。
【００９６】
次に図１７を参照して本発明に係るデータ復号化装置について説明する。この図１７に示したデータ復号化装置は、図１４に示したデータ符号化装置により符号化されたデータを記録したＤＳＭ１０から再生されたデータを復号化するものであって、上述の図１１に示したデータ復号化装置に字幕デコーダ２７をさらに設けたものである。
【００９７】
このデータ復号化装置において、分離装置２１のヘッダ分離回路２２は、ＤＳＭ１０から読み出されたデータから、パックヘッダ、セクタヘッダおよびエントリセクタを分離して制御装置２４に供給するとともに、時分割多重されたデータをスイッチング回路２３の入力端子Ｇに供給する。スイッチング回路２３の出力端子Ｈ１，Ｈ２，Ｈ３は、それぞれビデオデコーダ２５、オーディオデコーダ２６、字幕デコーダ２７の入力端子に接続されている。
【００９８】
また制御装置２４は、ヘッダ分離回路２２より入力されたデータから、エントリポイントに関する情報（エントリセクタの情報）を読み出し、エントリポイント記憶装置４１に供給し、記憶させる。制御装置２４にはＤＳＭ１０から現在の読出位置の情報が供給されるので、制御装置２４は、エントリポイントの位置とその内容を、対応付けて記憶させるようにすることができる。
【００９９】
分離装置２１の制御装置２４は、ヘッダ分離回路２２から供給されたセクタヘッダのstream_id に従い、スイッチング回路２３の入力端子Ｇと出力端子Ｈ１〜Ｈ３を順次接続状態にして、時分割多重されたデータを正しく分離させ、ビデオデータをビデオデコーダ２５に、オーディオデータをオーディオデコーダ２６に、字幕データを字幕デコーダ２７にそれぞれ供給させる。
【０１００】
なお、制御装置２４の記憶回路に十分に余裕がある場合、以下のような動作をすることも可能である。すなわち、制御装置は再生に先立ち、ＴＯＣを読み出し自らの記憶回路に記憶する。これにより多重化ストリームを再生する度に情報を取り込むことなく処理を行うことができる。
【０１０１】
この多重化データ復号化装置における制御装置２４は、ユーザにより設定されるパス指定信号で指定されたパスと多重化ビットストリームのパス情報により、オーディオストリーム及び字幕データを選択して、ビデオデータに対応したオーディオデータ及び字幕データをオーディオデコーダ２６及び字幕デコーダ２７にデコードさせるように再生動作を制御する。
【０１０２】
このような構成の多重化データ復号化装置では、上述の８系統のオーディオ信号ＡＵ１〜ＡＵ８うちオーディオ信号ＡＵ１〜ＡＵ３は一般的な音声であり、オーディオ信号ＡＵ４〜ＡＵ６は大人向けの音声であり、オーディオ信号ＡＵ７，ＡＵ８は子供向けの音声であった場合に、一般向けのビデオ信号の再生パターンpath１ではパス指定信号による指定で８系統のオーディオ信号ＡＵ１〜ＡＵ８のうちオーディオ信号ＡＵ１〜ＡＵ３又はオーディオ信号ＡＵ７，ＡＵ８の復号し、また、大人向けの再生パターンpath２ではパス指定信号による指定で８系統のオーディオ信号ＡＵ１〜ＡＵ８のどれかを復号をすることができ、さらに、パス指定信号による指定で８系統の字幕データのどれかを復号することができる。
【０１０３】
ここで、パス番号Ｎで再生されるべきオーディオストリームであれば１にセットされ、再生されるべきでなければ０にセットされる１ビットフラグであるpath_number_flag_Nによって、各再生パターンにおけるオーディオデータ及び字幕データのオン／オフが指定される。
【０１０４】
【発明の効果】
本発明に係るデータ記録方法では、画像データ、及び少なくとも非成人向けとされたチャンネルを含む複数チャンネルの言語に関するデータを供給し、上記画像データの複数の再生パターンの各々に対応する上記言語に関するデータの再生可能チャンネルを指定するフラグを生成し、上記供給された上記画像データ及び複数チャンネルの言語に関するデータを上記フラグとともに記録媒体に記録するので、再生系において上記画像データの再生パターンに対応させた言語に関するデータの再生チャンネルを選択して上記再生パターンに対応した複数チャンネルの言語に関するデータと画像データを再生可能に画像データと複数チャンネルの言語に関するデータを記録媒体に記録することができる。
【０１０５】
本発明に係るデータ記録方法では、例えば、上記フラグとともに上記画像データ及び複数チャンネルの言語に関するデータを多重化して記録媒体に記録することにより、再生系において上記画像データの再生パターンに対応させた言語に関するデータの再生チャンネルを選択して上記再生パターンに対応した複数チャンネルの言語に関するデータと画像データを再生可能に画像データと複数チャンネルの言語に関するデータを記録媒体に記録することができる。
【０１０６】
また、本発明に係るデータ記録方法では、例えば、上記画像データと複数チャンネルの言語に関するデータを多重化して記録媒体に記録するとともに、上記フラグを上記記録媒体上の所定領域に記録することにより、再生系において上記画像データの再生パターンに対応させた言語に関するデータの再生チャンネルを選択して上記再生パターンに対応した複数チャンネルの言語に関するデータと画像データを再生可能に画像データと複数チャンネルの言語に関するデータを記録媒体に記録することができる。
【０１０７】
また、本発明に係るデータ記録方法では、例えば、上記言語に関するデータとして音声データを記録媒体に記録することにより、再生系において上記画像データの再生パターンに対応させた音声データの再生チャンネルを選択して上記再生パターンに対応した複数チャンネルの音声データと画像データを再生可能に画像データと複数チャンネルの音声データを記録媒体に記録することができる。
【０１０８】
また、本発明に係るデータ記録方法では、上記言語に関するデータとして字幕データを記録媒体に記録することにより、再生系において上記画像データの再生パターンに対応させた音声データ及び字幕データの再生チャンネルを選択して上記再生パターンに対応した複数チャンネルの音声データ及び字幕データと画像データを再生可能に画像データと複数チャンネルの音声データを記録媒体に記録することができる。
【０１０９】
本発明に係るデータ記録装置では、供給手段により画像データ、及び少なくとも非成人向けとされたチャンネルを含む複数チャンネルの言語に関するデータを供給し、上記画像データの複数の再生パターンの各々に対応する上記言語に関するデータの再生可能チャンネルを指定するフラグを生成手段により生成し、上記生成手段により生成されたフラグとともに上記画像データ及び複数チャンネルの言語に関するデータを記録手段により記録媒体に記録するので、再生系において上記画像データの再生パターンに対応させた言語に関するデータの再生チャンネルを選択して上記再生パターンに対応した言語に関するデータと画像データを再生可能に画像データと複数チャンネルの言語に関するデータを記録媒体に記録することができる。
【０１１０】
また、本発明に係るデータ記録装置では、上記記録手段により、例えば、上記フラグとともに上記画像データと複数チャンネルの言語に関するデータを多重化して記録媒体に記録することができる。これにより、再生系において上記画像データの再生パターンに対応させた音声データの再生チャンネルを選択して上記再生パターンに対応した複数チャンネルの言語に関するデータと画像データを再生可能に画像データと複数チャンネルの音声データを記録媒体に記録することができる。
【０１１１】
また、本発明に係るデータ記録装置では、上記記録手段により、例えば、画像データと複数チャンネルの言語に関するデータを多重化して記録媒体に記録するとともに、上記フラグを上記記録媒体上の所定領域に記録することができる。これにより、再生系において上記画像データの再生パターンに対応させた音声データの再生チャンネルを選択して上記再生パターンに対応した複数チャンネルの言語に関するデータと画像データを再生可能に画像データと複数チャンネルの音声データを記録媒体に記録することができる。
【０１１２】
また、本発明に係るデータ記録装置では、上記記録手段により言語に関するデータとして例えば音声データを記録媒体に記録することができる。これにより、再生系において上記画像データの再生パターンに対応させた音声データの再生チャンネルを選択して上記再生パターンに対応した複数チャンネルの音声データと画像データを再生可能に画像データと複数チャンネルの音声データを記録媒体に記録することができる。
【０１１３】
さらに、本発明に係るデータ記録装置では、上記記録手段により言語に関するデータとして例えば字幕データを記録媒体に記録することができる。これにより、再生系において上記画像データの再生パターンに対応させた音声データの再生チャンネルを選択して上記再生パターンに対応した複数チャンネルの音声データと画像データを再生可能に画像データと複数チャンネルの音声データを記録媒体に記録することができる。
【０１１４】
このように、本発明に係るデータ記録装置では、画像データ、及び少なくとも非成人向けとされたチャンネルを含む複数チャンネルの言語に関するデータを供給する供給手段と、上記画像データの複数の再生パターンの各々に対応する上記言語に関するデータの再生可能チャンネルを指定するフラグを生成する生成手段と、上記生成手段により生成されたフラグとともに上記画像データ及び複数チャンネルの言語に関するデータを記録媒体に記録する記録手段を備えることにより、再生系において上記画像データの再生パターンに対応させた音声データ及び字幕データの再生チャンネルを選択して上記再生パターンに対応した音声データ及び字幕データと画像データを再生可能に画像データと複数チャンネルの音声データ及び字幕データを記録媒体に記録することができる。
【０１１５】
本発明に係るデータ記録媒体の製造方法では、画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されるので、再生系において上記画像データの再生パターンに対応させた言語に関するデータの再生チャンネルを選択して上記再生パターンに対応した言語に関するデータと画像データを再生可能なデータ記録媒体を製造することができる。
【０１１６】
また、本発明に係るデータ記録媒体の製造方法では、例えば、上記フラグとともに上記画像データ及び複数チャンネルの言語に関するデータを多重化して記録されるので、再生系において上記画像データの再生パターンに対応させた言語に関するデータの再生チャンネルを選択して上記再生パターンに対応した言語に関するデータと画像データを再生可能なデータ記録媒体を製造することができる。
【０１１７】
また、本発明に係るデータ記録媒体では、例えば、上記画像データと複数チャンネルの言語に関するデータが多重化されて記録されるとともに、上記フラグが所定領域に記録されるので、再生系において上記画像データの再生パターンに対応させた言語に関するデータの再生チャンネルを選択して上記再生パターンに対応した言語に関するデータと画像データを再生可能なデータ記録媒体を製造することができる。
【０１１８】
また、本発明に係るデータ記録媒体の製造方法では、例えば、上記言語に関するデータとして音声データが記録されるので、再生系において上記画像データの再生パターンに対応させた音声データの再生チャンネルを選択して上記再生パターンに対応した複数チャンネルの音声データと画像データを再生可能なデータ記録媒体を製造することができる。
【０１１９】
さらに、本発明に係るデータ記録媒体の製造方法では、例えば、上記言語に関するデータとして字幕データが記録されるので、再生系において上記画像データの再生パターンに対応させた音声データ及び字幕データの再生チャンネルを選択して上記再生パターンに対応した音声データ及び字幕データと画像データを再生可能なデータ記録媒体を製造することができる。
【０１２０】
本発明に係るデータ再生方法は、画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体を再生し、上記フラグに基づいて上記画像データの再生パターンに対応した言語に関するデータの再生チャンネルを選択し、上記選択された言語に関するデータの再生チャンネルを画像データとともに出力することができる。
【０１２１】
また、本発明に係るデータ再生方法では、例えば、上記フラグとともに上記画像データと複数チャンネルの言語に関するデータが多重化されて記録されたデータ記録媒体から再生される上記フラグに基づいて、上記画像データの再生パターンに対応した言語に関するデータの再生チャンネルを選択することにより、上記再生パターンに対応した言語に関するデータと画像データを再生することができる。
【０１２２】
また、本発明に係るデータ再生方法では、例えば、画像データと複数チャンネルの言語に関するデータが多重化されて記録されているとともに、上記フラグが所定領域に記録された記録媒体から再生される上記フラグに基づいて、上記画像データの再生パターンに対応した言語に関するデータの再生チャンネルを選択することにより、上記再生パターンに対応した言語に関するデータと画像データを再生することができる。
【０１２３】
また、本発明に係るデータ再生方法では、言語に関するデータとして、例えば音声データをデータ記録媒体から再生することにより、画像データの再生パターンに対応した音声データを上記画像データとともに再生することができる。
【０１２４】
さらに、本発明に係るデータ再生方法では、言語に関するデータとして、例えば字幕データをデータ記録媒体から再生することにより、画像データの再生パターンに対応した音声データ及び／又は字幕データを上記画像データとともに再生することができる。
【０１２５】
本発明に係るデータ再生装置では、画像データと複数チャンネルの言語に関するデータ及び上記画像データの複数の再生パターンの各々に対応する言語に関するデータの再生可能チャンネルを指定するフラグが記録されたデータ記録媒体をデータ再生手段により再生し、上記フラグに基づいて上記画像データの再生パターンに対応した言語に関するデータの再生チャンネルを制御手段により選択し、上記選択された言語に関するデータの再生チャンネルを画像データとともに出力手段から出力することができる。
【０１２６】
また、本発明に係るデータ再生装置は、画像データ、及び少なくとも非成人向けとされたチャンネルを含む複数チャンネルの言語に関するデータが、上記画像データの複数の再生パターンの各々に対応する上記言語に関するデータの再生可能チャンネルを指定するフラグとともに記録されたデータ記録媒体をデータ再生手段により再生し、上記フラグに基づいて上記画像データの再生パターンに対応した言語に関するデータの再生チャンネルを制御手段により選択し、上記選択された言語に関するデータの再生チャンネルを画像データとともに出力手段から出力するとができる。
【０１２７】
また、本発明に係るデータ再生装置では、上記再生手段により、例えば、画像データの再生パターンに対応させた言語に関するデータの再生チャンネルを指定するフラグとともに上記画像データと複数チャンネルの言語に関するデータが多重化されて記録されたデータ記録媒体から再生されるフラグに基づいて、再生処理手段により、上記画像データの再生パターンに対応した言語に関するデータの再生チャンネルを選択して、上記再生パターンに対応した言語に関するデータと画像データを再生することができる。
【０１２８】
また、本発明に係るデータ再生装置では、上記再生手段により、例えば、画像データと複数チャンネルの言語に関するデータが多重化されて記録されているとともに、上記フラグが所定領域に記録された記録媒体から再生される上記フラグに基づいて、上記制御手段により上記画像データの再生パターンに対応した言語に関するデータの再生チャンネルを選択して、上記再生パターンに対応した言語に関するデータと画像データを再生することができる。
【０１２９】
また、本発明に係るデータ再生装置では、上記再生手段により、言語に関するデータとして、例えば、画像データの再生パターンに対応した音声データをデータ記録媒体から上記画像データとともに再生することができる。
【０１３０】
さらに、本発明に係るデータ再生装置において、上記再生処理手段により、言語に関するデータとして、例えば、画像データの再生パターンに対応した字幕データをデータ記録媒体から上記画像データとともに再生することができる。
【図面の簡単な説明】
【図１】本発明に係るデータ符号化装置の構成を示すブロック図である。
【図２】上記データ符号化装置におけるディスクのデータフォーマットのうち、パックのフォーマットを示す図である。
【図３】エントリセクタのフォーマットを説明する図である。
【図４】上記エントリセクタにおけるProgram_Stream_Directry の内容を示す図である。
【図５】上記エントリセクタにおけるProgram_Stream_Map()の内容を示す図である。
【図６】上記Program_Stream_Map()の記述内容を示す図である。
【図７】上記Program_Stream_Map()に記述されるdvd_audio_descriptor()の内容を示す図である。
【図８】上記Program_Stream_Map()に記述されるdvd_lpcm_descriptor() の内容を示す図である。
【図９】上記Program_Stream_Map()に記述されるdvd_subtitle_descriptor() の内容を示す図である。
【図１０】上記dvd_subtitle_descriptor()に記述されるsubtitle_typeの内容を示す図である。
【図１１】本発明に係るデータ復号化装置の構成例を示すブロック図である。
【図１２】上記データ符号化装置におけるＤＳＭ上のデータの並びを示す図である。
【図１３】ＴＯＣのデータの構成例を示す図である。
【図１４】本発明に係るデータ符号化装置の構成を示すブロック図である。
【図１５】上記データ符号化装置におけるエントリセクタのフォーマットを説明する図である。
【図１６】上記エントリセクタにおけるProgram_Stream_Map()中のglobal_descriptors()に記述されるpath_descriptor() の内容を示す図である。
【図１７】本発明に係るデータ復号化装置の構成を示すブロック図である。
【符号の説明】
１ ビデオエンコーダ、２Ａ，２Ｂ，２Ｃ オーディオエンコーダ、３ 多重化装置、４，５Ａ，５Ｂ，５Ｃ，１２Ａ〜１２Ｈ コードバッファ、６ スイッチング回路、７ ヘッダ付加回路、８ 制御装置、９ 多重化システムクロック発生回路、１０ ＤＳＭ、１１Ａ〜１１Ｈ 字幕コーダ、２１ 分離装置、２２ヘッダ分離回路、２３ スイッチング回路、２４ 制御装置、２５ ビデオデコーダ、２６ オーディオデコーダ、２７ 字幕デコーダ、３５ ＭＡＰ情報記憶装置
【図１】
0003695427.tif 000002
【図２】
0003695427.tif 000003
【図３】
0003695427.tif 000004
【図４】
0003695427.tif 000005
【図５】
0003695427.tif 000006
【図６】
0003695427.tif 000007
【図７】
0003695427.tif 000008
【図８】
0003695427.tif 000009
【図９】
0003695427.tif 000010
【図１０】
0003695427.tif 000011
【図１１】
0003695427.tif 000012
【図１２】
0003695427.tif 000013
【図１３】
0003695427.tif 000014
【図１４】
0003695427.tif 000015
【図１５】
0003695427.tif 000016
【図１６】
0003695427.tif 000017
【図１７】
0003695427.tif 000018